(57)【要約】【課題】  本発明は、リモコン装置の操作性を低下させることなく、リモコンケーブルおよびヘッドホンケーブルのケーブル処理を行うことができ、身体の回りに存在するリモコン装置、リモコンケーブルおよびヘッドホンケーブルを簡便にまとめることができるオーディオシステムを提供することを課題とする。【解決手段】  貫装部６２は、ゴム等の弾性材料で構成された部材であり、リモコンケーブルを貫装することができる第１貫装穴６３と、ヘッドホンケーブルを貫装することができる第２貫装穴６４とが形成されている。貫装部６２にリモコンケーブルおよびヘッドホンケーブルを貫装させて取り付けると、リモコンケーブルとヘッドホンケーブルとがクリップ部６によって接続されてループが形成され、リモコンケーブルおよびヘッドホンケーブルによって形成されたループを首にかけることにより、リモコン装置を首からぶら下げることができる。【選択図】        図２
2006080912.tif 000002
【特許請求の範囲】
【請求項１】
携帯機器とリモコン装置とがリモコンケーブルで、前記リモコン装置とヘッドホンとがヘッドホンケーブルでそれぞれ接続されているオーディオシステムであって、
前記リモコンケーブルを貫装する第１貫装穴と、前記ヘッドホンケーブルを貫装する第２貫装穴とが形成された弾性材料からなる貫装手段を具備することを特徴とするオーディオシステム。
【請求項２】
前記第１貫装穴の断面は、前記リモコンケーブルの断面と略同一形状であると共に、前記第２貫装穴の断面は、前記ヘッドホンケーブルの断面と略同一形状であり、
前記リモコンケーブルおよび前記ヘッドホンケーブルは、前記第１貫装穴および前記第２貫装穴に弾性摩擦力によって保持されることを特徴とする請求項１記載のオーディオシステム。
【請求項３】
前記貫装手段は、クリップの一方の挟み片に取り付けられており、
前記第１貫装穴には、前記リモコンケーブルを貫装させるための切り込みが前記クリップに対向する位置に設けられていると共に、前記第２貫装穴には、前記ヘッドホンケーブルを貫装させるための切り込みが前記クリップに対向する位置に設けられていることを特徴とする請求項１又は２記載のオーディオシステム。
【発明の詳細な説明】
【技術分野】
【０００１】
本発明は、携帯型ＭＤプレーヤや携帯型ハードティスクプレーヤ等の携帯機器によって再生された音声信号をヘッドホンによって聴取するオーディオシステムに関し、特に携帯機器とヘッドホンとの間にリモコン装置が設けられているオーディオシステムに関する。
【背景技術】
【０００２】
携帯型ＭＤプレーヤや携帯型ハードティスクプレーヤ等の携帯機器をコントロールするリモコン装置は、携帯機器とヘッドホンとの間に設けられるのが一般的であり、携帯機器とリモコン装置とは、リモコンケーブルで、リモコン装置とヘッドホンとは、ヘッドホンケーブルでそれぞれ接続されている。従って、携帯機器およびヘッドホンを身体につけて使用する場合には、身体の回りにリモコン装置、リモコンケーブルおよびヘッドホンケーブルが存在することになり、煩わしいものになってしまう。
【０００３】
そこで、リモコン装置にクリップを設け、当該クリップでリモコン装置を服等に固定できるようにしたものや、また、ケーブルの処理方法として、ヘッドホンの左右コードの一部にネックレス状の輪をつくるホック等の止め具を設置し、ヘッドホンのコードの一部をネックレス状の輪にできるようにして、その輪の部分を首にかけて使用できるようにしたネックレス型ヘッドホンが提案されている（例えば、特許文献１参照）。
【０００４】
しかしながら、従来技術のように、リモコン装置にクリップを設けて服等に固定できるようにした場合には、リモコン装置が視認しにくくなってしまうため、リモコン装置の操作性が低下してしまうと共に、ヘッドホンの左右コードの一部に止め具を設置してネックレス状の輪にできるようしただけでは、リモコンケーブルおよびヘッドホンケーブルのケーブル処理が依然として行えておらず、身体の回りに存在するリモコン装置、リモコンケーブルおよびヘッドホンケーブルが煩わしいものになってしまうという問題点があった。
【特許文献１】特開２０００−１３８９９１号公報
【発明の開示】
【発明が解決しようとする課題】
【０００５】
本発明は斯かる問題点に鑑みてなされたものであり、その目的とするところは、リモコン装置の操作性を低下させることなく、リモコンケーブルおよびヘッドホンケーブルのケーブル処理を行うことができ、身体の回りに存在するリモコン装置、リモコンケーブルおよびヘッドホンケーブルを簡便にまとめることができるオーディオシステムを提供する点にある。
【課題を解決するための手段】
【０００６】
本発明は上記課題を解決すべく、以下に掲げる構成とした。
本発明のオーディオシステムは、携帯機器とリモコン装置とがリモコンケーブルで、前記リモコン装置とヘッドホンとがヘッドホンケーブルでそれぞれ接続されているオーディオシステムであって、前記リモコンケーブルを貫装する第１貫装穴と、前記ヘッドホンケーブルを貫装する第２貫装穴とが形成された弾性材料からなる貫装手段を具備することを特徴とする。
【０００７】
さらに、本発明のオーディオシステムは、前記第１貫装穴の断面は、前記リモコンケーブルの断面と略同一形状であると共に、前記第２貫装穴の断面は、前記ヘッドホンケーブルの断面と略同一形状であり、前記リモコンケーブルおよび前記ヘッドホンケーブルは、前記第１貫装穴および前記第２貫装穴に弾性摩擦力によって保持されることを特徴とする。
【０００８】
さらに、本発明のオーディオシステムは、前記貫装手段は、クリップの一方の挟み片に取り付けられており、前記第１貫装穴には、前記リモコンケーブルを貫装させるための切り込みが前記クリップに対向する位置に設けられていると共に、前記第２貫装穴には、前記ヘッドホンケーブルを貫装させるための切り込みが前記クリップに対向する位置に設けられていることを特徴とする。
【発明の効果】
【０００９】
本発明のオーディオシステムは、貫装部手段にリモコンケーブルを貫装することができる第１貫装穴と、ヘッドホンケーブルを貫装することができる第２貫装穴とを形成し、ク貫装手段によってリモコンケーブルおよびヘッドホンケーブルを貫装させて取り付けることにより、リモコンケーブルおよびヘッドホンケーブルによって形成されたループを首にかけてリモコン装置を首からぶら下げることができるように構成することにより、リモコン装置の操作性を低下させることなく、リモコンケーブルおよびヘッドホンケーブルのケーブル処理を行うことができ、身体の回りに存在するリモコン装置、リモコンケーブルおよびヘッドホンケーブルを簡便にまとめることができるという効果を奏する。
【００１０】
さらに、本発明のオーディオシステムは、貫装部手段をクリップに取り付け、貫装部手段の第１貫装穴および第２貫装穴にリモコンケーブルおよびヘッドホンケーブルをそれぞれ貫装させるための切り込みをクリップに対向する位置に設けることにより、第１貫装穴および第２貫装穴にそれぞれ貫装されたリモコンケーブルおよびヘッドホンケーブルが外れにくく、安定した状態でリモコンケーブルおよびヘッドホンケーブルによって形成されたループを首にかけてリモコン装置を首からぶら下げることができるという効果を奏する。
【発明を実施するための最良の形態】
【００１１】
以下、本発明の実施の形態を図面に基づいて詳細に説明する。
【００１２】
図１は、本発明に係るオーディオシステムの実施の形態の構成を示す構成図であり、図２は、図１に示すクリップ部の構成を示す四面図であり、図３は、図１に示すリモコンケーブルをクリップ部に取り付けた状態を示す図であり、図４は、図１に示すヘッドホンケーブルをクリップ部に取り付けた状態を示す図である。
【００１３】
本実施の形態のオーディオシステムは、図１を参照すると、音声信号を再生する携帯型ＭＤプレーヤや携帯型ハードティスクプレーヤ等の携帯機器１と、携帯機器１の動作を操作するリモコン装置２と、携帯機器１によって再生された音声信号を音声出力するヘッドホン３と、携帯機器１とリモコン装置２とを接続するリモコンケーブル４と、リモコン装置２とヘッドホン３とを接続するヘッドホンケーブル５と、リモコンケーブル４およびヘッドホンケーブル５に取り付け可能なクリップ部６とからなる。
【００１４】
携帯機器１は、ＭＤやハードティスク等の記録媒体に記録された音声データを音声信号として再生してリモコンケーブル４に出力する機能と、リモコンケーブル４から入力される音声信号を音声データとして記録媒体に記録する機能とを有し、リモコンケーブル４から入力されるコントロール信号によって再生動作および記録動作が制御されるように構成されている。
【００１５】
リモコン装置２は、各種案内が表示される液晶パネル等のディスプレイと、携帯機器１の再生動作および記録動作を操作する操作ボタンとを有し、操作ボタンの操作をコントロール信号としてリモコンケーブル４に出力する。
【００１６】
クリップ部６は、図２を参照すると、一対の挟み片によって服等の対象物を挟持するクリップ６１と、リモコンケーブル４およびヘッドホンケーブル５を貫装させて取り付けることができる貫装部６２とからなり、貫装部６２がクリップ６１の一方の挟み片に取り付けられている。
【００１７】
貫装部６２は、ゴム等の弾性材料で構成された部材であり、リモコンケーブル４を貫装することができる第１貫装穴６３と、ヘッドホンケーブル５を貫装することができる第２貫装穴６４とが形成されている。第１貫装穴６３と第２貫装穴６４とは、平行であり、且つ貫装部６２が取り付けられているクリップ６１の一方の挟み片と平行に且つ回転するように形成されている。
【００１８】
第１貫装穴６３には、クリップ６１に対向する位置にリモコンケーブル４を貫装する切り込みが設けられており、当該切り込みにリモコンケーブル４を導く導入路がクリップ６１と貫装部６２との間に形成されている。また、第１貫装穴６３の断面は、リモコンケーブル４の断面と略同一形状であり、図３に示すように、貫装されたリモコンケーブル４を弾性摩擦力によって保持するように構成されている。なお、図３に示す符号４１は、リモコンケーブル４を携帯機器１に接続するコネクタである。
【００１９】
第２貫装穴６４には、クリップ６１に対向する位置にヘッドホンケーブル５を貫装する切り込みが設けられており、当該切り込みにヘッドホンケーブル５を導く導入路がクリップ６１と貫装部６２との間に形成されている。また、第２貫装穴６４の断面は、ヘッドホンケーブル５の断面と略同一形状であり、図４に示すように、貫装されたヘッドホンケーブル５を弾性摩擦力によって保持するように構成されている。なお、図４に示す符号５１は、ヘッドホンケーブル５をリモコン装置２に接続するヘッドホンプラグである。
【００２０】
本実施の形態のオーディオシステムは、図１に示すように、クリップ部６の貫装部６２によってリモコンケーブル４およびヘッドホンケーブル５を貫装させて取り付けることにより、リモコン装置２、リモコンケーブル４およびヘッドホンケーブル５を簡便にまとめることができる。すなわち、クリップ部６の貫装部６２にリモコンケーブル４およびヘッドホンケーブル５を貫装させて取り付けると、リモコンケーブル４とヘッドホンケーブル５とがクリップ部６によって接続されてループが形成され、リモコンケーブル４およびヘッドホンケーブル５によって形成されたループを首にかけることにより、リモコン装置２を首からぶら下げることができ、着用した服に関係なく、リモコン装置２、リモコンケーブル４およびヘッドホンケーブル５を簡便にまとめることができる。
【００２１】
クリップ部６の貫装部６２に環装されたリモコンケーブル４およびヘッドホンケーブル５は、弾性摩擦力によって保持されているため、リモコンケーブル４およびヘッドホンケーブル５におけるクリップ部６の取り付け位置は、クリップ部６を把持してずらすことによって容易に変更することができるため、リモコンケーブル４およびヘッドホンケーブル５によって形成されたループの大きさを容易に変更することができ、首からぶら下げたリモコン装置２を所望の箇所に配することができる。
【００２２】
以上説明したように、本実施の形態によれば、クリップ部６の貫装部６２にリモコンケーブル４を貫装することができる第１貫装穴６３と、ヘッドホンケーブル５を貫装することができる第２貫装穴６４とを形成し、クリップ部６の貫装部６２によってリモコンケーブル４およびヘッドホンケーブル５を貫装させて取り付けることにより、リモコンケーブル４およびヘッドホンケーブル５によって形成されたループを首にかけてリモコン装置２を首からぶら下げることができるように構成することにより、リモコン装置２の操作性を低下させることなく、リモコンケーブル４およびヘッドホンケーブル５のケーブル処理を行うことができ、身体の回りに存在するリモコン装置２、リモコンケーブル４およびヘッドホンケーブル５を簡便にまとめることができるという効果を奏する。
【００２３】
さらに、本実施の形態によれば、第１貫装穴６３および第２貫装穴６４にリモコンケーブル４およびヘッドホンケーブル５をそれぞれ貫装させるための切り込みをクリップ６１に対向する位置に設けることにより、第１貫装穴６３および第２貫装穴６４にそれぞれ貫装されたリモコンケーブル４およびヘッドホンケーブル５が外れにくく、安定した状態でリモコンケーブル４およびヘッドホンケーブル５によって形成されたループを首にかけてリモコン装置２を首からぶら下げることができるという効果を奏する。
【００２４】
なお、本発明が上記各実施の形態に限定されず、本発明の技術思想の範囲内において、各実施の形態は適宜変更され得ることは明らかである。また、上記構成部材の数、位置、形状等は上記実施の形態に限定されず、本発明を実施する上で好適な数、位置、形状等にすることができる。なお、各図において、同一構成要素には同一符号を付している。
【図面の簡単な説明】
【００２５】
【図１】本発明に係るオーディオシステムの実施の形態の構成を示す構成図である。
【図２】図１に示すクリップ部の構成を示す四面図である。
【図３】図１に示すリモコンケーブルをクリップ部に取り付けた状態を示す図である。
【図４】図１に示すヘッドホンケーブルをクリップ部に取り付けた状態を示す図である。
【符号の説明】
【００２６】
１  端末機器
２  リモコン装置
３  ヘッドホン
４  リモコンケーブル
５  ヘッドホンケーブル
６  クリップ部
４１  コネクタ
５１  ヘッドホンプラグ
６１  クリップ
６２  貫装部
６３  第１貫装穴
６４  第２貫装穴
６５  切り込み
６６  導入路
６７  切り込み
６８  導入路
【図１】
2006080912.tif 000003
【図２】
2006080912.tif 000004
【図３】
2006080912.tif 000005
【図４】
2006080912.tif 000006